(57)【要約】【課題】ＩＤ番号設定時の不正を防止し、ＩＤ番号設定の際にデータの送受信を可能とすることにより、書き込んだ情報の照会を行うことによって確実でエラーのないＩＤ設定を行い、データを受信する側に電源が供給されていなくてもＩＤ設定作業を遂行することができる台間遊技媒体貸出機のＩＤ設定端末機を提供する。【解決手段】遊技台１に隣設された台間遊技媒体貸出機４の本体部５を保持するフレームに設けられた中継基板６と台間遊技媒体貸出機４の本体部５に設けられた接続コネクタ端子９とを接続する接続コネクタ１０の一端を接続コネクタ端子９から離脱させて、該接続コネクタ１０の一端をＩＤ設定端末機１１に接続することにより、該ＩＤ設定端末機１１に設定したデータを接続コネクタ１０を介して中継基板６に送信し、また中継基板６からのデータを接続コネクタ１０を介してＩＤ設定端末機１１で受信するようにした。【選択図】図５
2007195884.tif 000002
【特許請求の範囲】
【請求項１】
遊技台に隣設された台間遊技媒体貸出機の本体部を保持するフレームに設けられた中継基板と前記台間遊技媒体貸出機の本体部に設けられた接続コネクタ端子とを接続する接続コネクタの一端を前記接続コネクタ端子から離脱させて、該接続コネクタの一端をＩＤ設定端末機に接続することにより、該ＩＤ設定端末機に設定したデータを前記接続コネクタを介して前記中継基板に送信し、また前記中継基板からのデータを前記接続コネクタを介して前記ＩＤ設定端末機で受信するようにしたことを特徴とする台間遊技媒体貸出機のＩＤ設定端末機。
【請求項２】
遊技台に隣設された台間遊技媒体貸出機の本体部を保持するフレームに設けられた中継基板と前記台間遊技媒体貸出機の本体部に設けられた接続コネクタ端子とを接続する接続コネクタの一端を前記接続コネクタ端子から離脱させて、該接続コネクタの一端をＩＤ設定端末機に接続することによって、該ＩＤ設定端末機に内蔵された電源を前記中継基板に供給するようにしたことを特徴とする請求項１記載の台間遊技媒体貸出機のＩＤ設定端末機。
【請求項３】
ＩＤ書込信号を前記中継基板に送信するＩＤ書込手段と、ＩＤ照会信号を前記中継基板から受信するＩＤ照会手段と、前記ＩＤ設定端末機から前記中継基板へ電源を供給する電源供給手段とを備えたことを特徴とする請求項１又は２記載の台間遊技媒体貸出機のＩＤ設定端末機。
【発明の詳細な説明】
【技術分野】
【０００１】
本発明は、遊技台に隣設された台間遊技媒体貸出機（以下、「台間玉貸機」と略称することがある）を識別するためのＩＤ番号（アドレスデータ）を設定する際に用いる台間遊技媒体貸出機のＩＤ設定端末機に関する。
【背景技術】
【０００２】
パチンコ店等の遊技店においては、各遊技台に隣設して台間玉貸機が設置され、夫々の台間玉貸機にプリペイドカード又は貨幣を投入することによって指定した数量の遊技玉が遊技台に貸し出される。このような各台間玉貸機の各種情報は管理サーバで管理され、例えば、プリペイドカードの残高の更新に関する情報等が記録されるが、そのような管理に供するため、各台間玉貸機には特定のＩＤ番号が設定されている。
【０００３】
このようなＩＤ番号を設定したり、変更したりする際に用いられるＩＤ設定端末機の従来技術として、特許文献１に記載されたものを参照する。この文献に記載された遊技台用台間機のアドレス設定装置は、携帯型のアドレスデータ発信器と、アドレスデータ発信器から発信されたアドレスデータを受信するアドレスデータ受信器と、アドレスデータ受信器で受信したアドレスデータを記録保持するアドレスメモリとを有するものであり、アドレスデータ発信器に、光通信等による無線通信を用いることによって、遠隔操作でアドレスデータをアドレス受信器に送る構成とされたものである。
【特許文献１】特開２００５−３４５２７号公報
【発明の開示】
【発明が解決しようとする課題】
【０００４】
ところが、上記のように無線通信によってアドレスデータを送る場合、電波の混線を起こしたり、また同じような周波数を有する発信器を用いてアドレスが不正に書き換えられるおそれがあり、不正防止というセキュリティ面での安全性を確保するのが困難である。
【０００５】
また、上記のように無線通信によってアドレスデータを送る場合、発信器と台間玉貸機側の受信器とが非接触であるため、各台間玉貸機に予め電源を通しておく必要がある。このため、夫々の台間玉貸機にアドレス設定や書換えを行う作業の手順として、先ず遊技島全体に電源を通しておく必要があり、即座に設定作業に着手することができないため、施工時間の短縮化の弊害になる。
【０００６】
さらに、上記の装置のように、アドレスデータ発信器がデータの送信のみを行う場合、台間玉貸機側の受信器に設定された内容が発信器側に送られてこないため、アドレスを既に設定しているのに再び設定するというように、施工時の利便性にも問題が生じる。
【０００７】
本発明は、上記の事情に鑑みて成されたもので、ＩＤ番号設定時の不正を防止し、ＩＤ番号設定の際にデータの送受信を可能とすることにより、書き込んだ情報の照会を行うことによって確実でエラーのないＩＤ設定を行い、さらにデータを受信する側に電源が供給されていなくてもＩＤ設定作業を遂行することができるようにした台間遊技媒体貸出機のＩＤ設定端末機を提供することを目的とする。
【課題を解決するための手段】
【０００８】
上記の問題を解決するために、本発明の請求項１の台間遊技媒体貸出機のＩＤ設定端末機は、遊技台に隣設された台間遊技媒体貸出機の本体部を保持するフレームに設けられた中継基板と前記台間遊技媒体貸出機の本体部に設けられた接続コネクタ端子とを接続する接続コネクタの一端を前記接続コネクタ端子から離脱させて、該接続コネクタの一端をＩＤ設定端末機に接続することにより、該ＩＤ設定端末機に設定したデータを前記接続コネクタを介して前記中継基板に送信し、また前記中継基板からのデータを前記接続コネクタを介して前記ＩＤ設定端末機で受信するようにしたことを特徴とする。
【０００９】
また、本発明の請求項２における台間遊技媒体貸出機のＩＤ設定端末機は、請求項１において、遊技台に隣設された台間遊技媒体貸出機の本体部を保持するフレームに設けられた中継基板と前記台間遊技媒体貸出機の本体部に設けられた接続コネクタ端子とを接続する接続コネクタの一端を前記接続コネクタ端子から離脱させて、該接続コネクタの一端をＩＤ設定端末機に接続することによって、該ＩＤ設定端末機に内蔵された電源を前記中継基板に供給するようにしたことを特徴とする。
【００１０】
さらに、本発明の請求項３における台間遊技媒体貸出機のＩＤ設定端末機は、請求項１又は２において、ＩＤ書込信号を前記中継基板に送信するＩＤ書込手段と、ＩＤ照会信号を前記中継基板から受信するＩＤ照会手段と、前記ＩＤ設定端末機から前記中継基板へ電源を供給する電源供給手段とを備えたことを特徴とする。
【発明の効果】
【００１１】
本発明による台間遊技媒体貸出機のＩＤ設定端末機は、台間遊技媒体貸出機の本体部を保持するフレームに設けられた中継基板に既設されている接続コネクタを利用して有線で接続されるため、無線通信で送受信される方式とは異なり、電波の混線を起こしたり、同じような周波数を有する発信器を用いてデータが不正に書き換えられるおそれがなく、本発明によるＩＤ設定端末機を所持している者のみが接続コネクタを介して接続した台間遊技媒体貸出機のみにＩＤ番号を設定し、また設定したＩＤ番号を照会するといった送受信を行うことができ、ＩＤ番号の不正書込やいたずら等の不正を確実に防止することができ、セキュリティ面でも信頼性の高い端末機を得ることが可能となる。
【００１２】
また、本発明による台間遊技媒体貸出機のＩＤ設定端末機は、上記のように接続コネクタを介して中継基板と接続することによって、有線で中継基板と送受信することが可能であり、ＩＤ設定端末機で設定したＩＤ番号を中継基板に送って該中継基板のメモリに登録したり、該中継基板のメモリに登録されたＩＤ番号をＩＤ設定端末機で照会することによって、ＩＤ番号の書込エラーや誤動作を無くし、ＩＤ設定作業を安全且つ確実に行うことが可能となる。
【００１３】
さらに、本発明による台間遊技媒体貸出機のＩＤ設定端末機には電源が内蔵され、このＩＤ設定端末機と中継基板とを接続コネクタで接続することによって中継基板に通電されることにより、ＩＤ設定端末機の電源を中継基板に供給することが可能となる。このため、ＩＤ設定の際に発信側のＩＤ設定端末機から簡単に電源を供給することが可能であり、施工作業等において、遊技島の電源を切った状態で中継基板が無電源状態であっても、即座にＩＤ設定作業に取りかかることができ、施工作業の短縮化にも有益となる。
【発明を実施するための最良の形態】
【００１４】
以下、本発明の実施例について図面を参照しながら説明する。
【実施例１】
【００１５】
図１に示す遊技台１は、その例としてパチンコ台を示すものであり、遊技島２に配列された遊技台１、１間のスペースにはフレーム３が設置され、該フレーム３に台間玉貸機４の本体部５が固定されている。図２は、フレーム３に本体部５を組み込んだ一台の台間玉貸機４を背後の斜め方向から見た斜視図であり、フレーム３の背板３ａには略中央に中継基板６が固設されている。この中継基板６にはＩＤアドレスメモリが内蔵され、夫々の台間玉貸機４ごとのＩＤ番号が登録されるほか、エラー履歴を保存したり、その他の玉貸機に関する情報を保存することが可能とされている。また、この中継基板６には通信コネクタ７が設けられ、該通信コネクタ７は不図示の管理サーバへ接続されることによって、中継基板６内のメモリ情報が送受信される。
【００１６】
さらに、図２に示すように、フレーム３の背板３ａに設けられた切抜き穴３ｂから本体部５の背面に設けられた電源コネクタ８が露呈され、この電源コネクタ８に接続された電源コード８ａを介して台間玉貸機４に電源が供給される。
【００１７】
また、上記切抜き穴３ｂから本体部５に設けられた接続コネクタ端子９が露呈され、この接続コネクタ端子９に上記の中継基板６から導かれた接続コネクタ１０が着脱自在に接続されている。
【００１８】
さらに本実施例においては、上記の中継基板６から導かれた接続コネクタ１０が接続コネクタ端子９から取り外されることによって、図５に示すように、接続コネクタ１０の一端が携帯型のＩＤ設定端末機１１に接続可能とされるものである。なお、図５はフレーム３から本体部５を取り外した状態を示す側面図である。
【００１９】
また、図５に示すように、ＩＤ設定端末機１１は、そのケース１１ａの上部に接続端子１２が設けられ、接続コネクタ端子９から取り外された接続コネクタ１０の一端を接続端子１２に接続することによって、ＩＤ設定端末機１１と中継基板６とが接続状態にされる。
【００２０】
上記のＩＤ設定端末機１１は、図３又は図４(ａ)〜(ｃ)に示すように、ケース１１ａの側部に電源スイッチ１３が設けられ、またケース１１ａの前面にＩＤ設定用スイッチ１４と、ＩＤ番号を書き込む際にＯＮするＩＤ書込スイッチ１５と、ＩＤ番号を書き込んだ際に発する書込確認手段（ＩＤ書込確認ＬＥＤ１６）と、書き込まれたＩＤ番号を照会する際にＯＮするＩＤ照会スイッチ１７と、このＩＤ照会スイッチ１７のＯＮ状態を確認するＩＤ照会確認ＬＥＤ１８と、書き込まれたＩＤ番号を表示する表示手段（７セグＬＥＤ１９）とが設けられている。
【００２１】
このような構成において、ＩＤ設定用スイッチ１４は台間玉貸機４ごとに登録するＩＤ番号を設定するもので、図示のものは、サムロータリースイッチを用いている。このサムロータリースイッチは、各桁の窓１４ａに表示される数字を切り換えるために夫々の窓１４ａの上下にプラスとマイナスのプッシュボタン１４ｂ、１４ｃが設けられ、それらのボタンを押すことによって増減する数字を設定することができるものである。ただし、このＩＤ設定用スイッチ１４としては、他に、ダイヤルで所望の数字を選択するダイヤル方式や、テンキーで入力するテンキー方式等のスイッチを用いてもよい。
【００２２】
また、ＩＤ番号のＩＤ書込スイッチ１５は、上記のようにＩＤ設定用スイッチ１４によってＩＤ番号を設定した後に、このＩＤ書込スイッチ１５を押すことによって、ＩＤ設定用スイッチ１４で設定したＩＤ番号を中継基板６側に書き込むようにするものである。
【００２３】
また、書込確認手段としてＩＤ書込確認ＬＥＤ１６と動作確認ブザー２０とが設けられ、上記のようにＩＤ番号を書き込んだ際に発する信号として、ＩＤ書込確認ＬＥＤ１６の発光又は動作確認ブザー２０の音を発するようにし、視覚又は聴覚によって確認することにより、ＩＤ番号の確実な書き込みを行うことが可能となる。
【００２４】
ＩＤ照会スイッチ１７は、中継基板６に書き込んだ後のＩＤ番号を照会する際に用いるスイッチである。また、ＩＤ照会確認ＬＥＤ１８はＩＤ照会スイッチ１７をＯＮすることによって発光することにより、ＩＤ照会スイッチ１７のＯＮ状態を確認するものである。さらに中継基板６に書き込まれたＩＤ番号を照会するための表示手段として、本実施例では７セグＬＥＤ（７セグメントバーＬＥＤ）１９が設けられ、ＩＤ番号が４桁の数字で表示される構造とされている。なお、この表示手段としては、上記の７セグＬＥＤ１９のほかに、液晶による表示手段等を設けるようにしてもよい。
【００２５】
上記の構成により、ＩＤ設定端末機１１で設定したＩＤ番号を中継基板６に送信してメモリに登録すると共に、中継基板６に登録されたＩＤ番号をＩＤ設定端末機１１で受信して照会することが可能となり、このようなＩＤ設定端末機１１と中継基板６との間で送受信が可能とされたことにより、書き込みミス、誤動作をなくすことが可能となる。
【００２６】
また、玉詰まり等のエラー履歴も中継基板６を通って管理サーバに送られる一方、中継基板６のメモリに保存されたエラー履歴をＩＤ設定端末機１１で受信して、該ＩＤ設定端末機１１でエラー内容を照会するという確認作業を行うようにしてもよい。
【００２７】
さらに、本実施例のＩＤ設定端末機１１には電源が内蔵され、台間玉貸機４の本体部５から外した状態の接続コネクタ１０をＩＤ設定端末機１１の接続端子１２に接続することによって中継基板６に通電することで、ＩＤ設定端末機１１の電源が中継基板６に供給可能とされている。このため、受信機側であるフレーム３に固設した中継基板６に電源が供給されていなくてもアドレス設定の際に発信側のＩＤ設定端末機１１から簡単に電源を供給することが可能となる。従って、施工作業等において、遊技島の電源を切った状態であっても、即座にＩＤ登録の設定作業に取りかかることができ、施工作業の短縮化にも有益となる。
【産業上の利用可能性】
【００２８】
本発明の台間遊技媒体貸出機のＩＤ設定端末機は、パチンコ台等の遊技台に隣設された台間遊技媒体貸出機ごとにＩＤ番号を設定する際の不正を防止でき、ＩＤ番号設定の際にデータの送受信を可能とすることにより、ＩＤ番号の書込み、又は登録されているＩＤ番号等の情報の照会を行うことができ、さらにデータを受信する側に電源が供給されていなくても容易にＩＤ番号を設定できる台間遊技媒体貸出機のＩＤ設定端末機として利用することが可能である。また、本発明の台間遊技媒体貸出機のＩＤ設定端末機は、パチンコ台の他にスロット台等の遊技台に隣設された台間遊技媒体貸出機にも適用可能である。
【図面の簡単な説明】
【００２９】
【図１】本発明に係る台間遊技媒体貸出機（台間玉貸機）を遊技島に設置した状態を示す斜視図である。
【図２】本発明に係る台間遊技媒体貸出機（台間玉貸機）をフレームに取付けた状態を示す斜視図である。
【図３】本発明によるＩＤ設定端末機の斜視図である。
【図４】本発明によるＩＤ設定端末機を示す図であり、(ａ)は上面図、(ｂ)は前面図、（c）は側面図である。
【図５】本発明に係る台間遊技媒体貸出機（台間玉貸機）にＩＤ設定端末機を接続した状況を示す側面図である。
【符号の説明】
【００３０】
１  遊技台
２  遊技島
３  フレーム
３ａ  背板
３ｂ  切抜き穴
４  台間遊技媒体貸出機（台間玉貸機）
５  本体部
６  中継基板
７  通信コネクタ
８  電源コネクタ
８ａ  電源コード
９  接続コネクタ端子
１０  接続コネクタ
１１  ＩＤ設定端末機
１１ａ  ケース
１２  接続端子
１３  電源スイッチ
１４  ＩＤ設定用スイッチ
１４ａ  窓
１４ｂ、１４ｃ  プッシュボタン
１５  ＩＤ書込スイッチ
１６  ＩＤ書込確認ＬＥＤ
１７  ＩＤ照会スイッチ
１８  ＩＤ照会確認ＬＥＤ
１９  ７セグＬＥＤ
２０  動作確認ブザー
【図１】
2007195884.tif 000003
【図２】
2007195884.tif 000004
【図３】
2007195884.tif 000005
【図４】
2007195884.tif 000006
【図５】
2007195884.tif 000007